(57)【要約】【課題】農作物等をその品質を損なうことなく収容し、運搬および保管するための折り畳み式コンテナーの提供。【解決手段】四周の垂直パネル2, 3, 4のいずれか１つのパネル（例えば、前面パネル2）は、上下二つのパネル2-1, 2-2で構成され、使用時には上下２つの回転係合具12によって支えられ、農産物の収納・取り出し作業時には中央で二つに折り曲げ可能に連結され、不使用時には各パネルを床5の上部に倒すことができる折り畳み式コンテナーである。上下の前面パネル2は蝶番2-3により連結されており、組み立てたとき各パネルは床5に直接支持され、高さの異なるピンで位置決めされている。各ピンの高さ方向の位置は、前面パネルが最も低く、後面パネル、側面パネルの順に高く設けられている。【選択図】図４
0003104222.tif 000002
【実用新案登録請求の範囲】
【請求項１】
下記の(1)から(5)までを特徴とする折り畳み式コンテナー。
(1) 四周に設けた垂直のパネルを床の上部に水平に倒すことができ、上部が開放された直方体の折り畳み式コンテナーであること。
(2) ４つのパネルのうち少なくとも１つのパネルは、上下二つのパネルからなり、高さ方向の中央部で折り曲げ可能に連結されており、床の前面両端の支柱に設けられたピンで位置決めされて床に接して組み立てられており、そのピンは軸方向に移動可能であること。
(3) 後面パネルは、床の後面両端の支柱に設けられたピンで位置決めされて断面が四角形の箱状部材に接して組み立てられており、そのピンは前記の前面両端の支柱に設けたピンよりも高い位置にあって軸方向に移動可能であること。
(4) 左右の側面パネルは、前記４本の支柱に固定されたピンに回転可能に取り付けられて断面が五角形の箱状部材に接して組み立てられており、上記の上下二つからなるパネル側の左右の縦梁には２つの回転係合具が取り付けられており、後面パネル側の左右の縦梁には１つの回転係合具が取り付けられていること。
(5) 前記全てのピンは、コンテナーの内側に偏らせて支柱に取り付けられていること。
【請求項２】
床が形鋼製の簀の子構造であり、パネルが鋼製の枠と縦横の梁および桟からなる格子構造であって、パネルの内面および床の上面がネットで覆われており、床の下部にはフォークリフトの爪が挿入できる空間が設けられていることを特徴とする請求項１に記載の折り畳み式コンテナー。
【考案の詳細な説明】
【技術分野】
【０００１】
この考案は、長芋、玉葱、馬鈴薯等の農作物を、損傷させずに収容し、運搬、保管するためのコンテナーであって、少なくとも１つのパネルを二つ折りにすることができ、使用しないときにはコンパクトに折り畳むことができるコンテナーに関する。
【背景技術】
【０００２】
例えば、北海道地区におけるような大規模農場では、収穫された長芋、玉葱、馬鈴薯等の農作物は、畑でコンテナーに収容されて倉庫や選果場等の施設に運搬される。そのコンテナーには様々な形式のものがあるが、一般に、鋼材で作られた格子状のパネルと床とを組み立てた直方体のコンテナーが使用されている。このようなコンテナーは、一旦、その仕様（基本サイズ）が決まれば、コンベヤーその他の運搬設備、倉庫等の付帯施設がその仕様に合わせて設置される。従って、コンテナーの基本サイズの変更は好ましくない。
【０００３】
上記のようなコンテナーは、農作物を収容したまま積み重ねられることが多いので、十分な強度を持つ必要がある。さらに、空のままで前記の施設から農地へ運ぶことが多く、また、不使用時には倉庫に保管しておかなければならないから、コンパクトに折り畳むことができるのが望ましい。
【０００４】
図１は、従来の折り畳み式コンテナーを折り畳んだ状態を示す概念図であり、（ａ）は正面図、（ｂ）は側面図である。図において、一点鎖線はパネルを組み立てたときのパネルの位置を示す。図示のとおり、従来の折り畳み式コンテナー1は、前面パネル2、後面パネル4および側面パネル3を倒したとき、各パネルの下端部2a, 3aおよび4aが床5の端部からはみ出る。しかも、上段に折り畳んだ側面パネルは、そのはみ出し量が多くなる。また、パネルは、ピンを支点として90゜回転させて折り畳まれるのであるが、そのためには、パネルの回転時にその端部が床5に当たらないように設計しなければならない。従って、パネルを起こしたとき、すなわちコンテナーとして使用しているとき、パネルの下端底部と床との間に隙間が存在して、パネルが床5に載った構造にならず、パネルの重みはピン７で支えることになり、コンテナーを多段積みしたときには、ピンが破損することがある。
【０００５】
上記の問題を解決するために、本出願人は、特許文献１によって折り畳んだパネルの下端部のはみ出し量が小さく、パネルを起こした時に、その下端部と床との間に隙間が無く、ピンの破損のおそれのない折り畳み式コンテナーを提案した。
【０００６】
【特許文献１】特許第２９９２２７９号公報
【考案の開示】
【考案が解決しようとする課題】
【０００７】
長芋、ねぎ、ごぼうなどのような長さの長い農作物は、慎重に取り扱わないと折れたり、傷が付いたりして商品価値が落ちる。従って、収穫した後にコンテナーに収納したり、取り出したりする作業は、人手で行う必要がある。コンテナーは、上部の開口部から作物を装入する構造であるが、深いコンテナーの場合には、作物を落とし込むと傷みがひどくなるので、深い（高さの高い）コンテナーは使用できなかった。
【０００８】
本考案の目的は、深いコンテナーであっても、長芋などの傷みやすい農作物の収納、取り出しに当たってこれらの損傷を防ぐことができ、しかもコンパクトに折り畳むことができるコンテナーを提供することにある。
【課題を解決するための手段】
【０００９】
本考案の要旨は、下記(1)〜(5)の特徴を備えた折り畳み式コンテナーにある（図２〜図５参照）。
【００１０】
(1) 四周に設けた垂直のパネル2, 3および4を床5の上部に倒すことができる上部が開放された直方体の折り畳み式コンテナー1である。
【００１１】
(2) 前面パネル2は、上下２つのパネル2-1, 2-2に二分割されており、上側のパネル2-1は下辺を中心として180°回転可能に固定されており、床の前面両端の支柱6-1, 6-2に設けられていて軸方向に移動可能なピン7-1, 7-2によって位置決めされて床5に接して組み立てられる。
【００１２】
(3) 後面パネル4は、床の後面両端の支柱6-3, 6-4の前記(2)のピンよりも高い位置に設けられて軸方向に移動可能なピン7-3, 7-4によって位置決めされて断面が四角形の箱状部材9に接して組み立てられる。
【００１３】
(4) 左右の側面パネル3, 3は、前記４本の支柱6-1〜6-4に固定されたピン8に回転可能に取り付けられて断面が五角形の箱状部材10に接して組み立てられる。
【００１４】
(5) 前記全てのピンはコンテナーの内側に偏らせて支柱に取り付けられている。
【００１５】
上記の本考案のコンテナーは、パネルおよび床がそれぞれ個別に製作され、それらを組み立て構成するものであるが、さらに下記(6)または／および(7)の特徴を備えるのが望ましい。
【００１６】
(6) 床が形鋼（望ましくは、断面ハット形の形鋼）製の簀の子構造であり、パネルが鋼製の縦横の梁および桟からなる格子構造であって、内面にはネットが張り巡らされている。
【００１７】
(7) 床の下部は、コンテナーを接地させたときに地面と床との間に少なくともフォークリフトの爪が挿入できる空間が形成される構造である。
【考案の効果】
【００１８】
本考案のコンテナーは、４つのパネルのうちの少なくとも１つのパネルを高さ方向の中央付近で折り曲げられるようにしたので、深い（高さの高い）コンテナーであっても、長芋などのような農作物の収納および取り出し作業が容易になり、農作物を傷つけることがなくなる。また、組立、折り畳みが容易であり、折り畳んだ状態でパネルの下端部のはみ出し量が小さい。さらに、側面パネルの底部に断面五角形の箱状部材を設けたので、下端部のはみ出しを皆無にできる。このため、組み立てたときのサイズ（容積）を従来のコンテナーと同じにしても、パネルを折り畳んだときの容積は、約20％小さくできる。また、それぞれのパネルと床は個別に製作して組み立てるので、その一部の補修や取り替えも容易である。パネルと床とを結合するピンは、組み立てたときパネルの垂直荷重を分担しないので、コンテナーを重ね積みしても破損することはない。
【考案を実施するための最良の形態】
【００１９】
以下、望ましい実施態様を示す図面によって本考案のコンテナーを詳しく説明する。なお、この説明では二つ折りできるパネルを前面パネルとした。
【００２０】
図２は、本考案のコンテナーのパネルを折り畳む手順を説明するためにコンテナーの側面から見た概念図であり、（ａ）は前面パネルを二つ折りした後折り畳む手順を示す図であり、（ｂ）は後面パネルを折り畳んだ後、側面パネルを折り畳んだ状態を示す図である。図３は、本考案のコンテナーのパネルを折り畳む手順を説明するために、コンテナーの正面から見た概念図である。
【００２１】
図４は、本考案のコンテナーの組み立てた状態を示す概念図であり、（ａ）は正面図、（ｂ）は前面パネルの側断面と上パネルを折り曲げた状態を示す図、（ｃ）は後面パネルの側断面図、（ｄ）は支柱部を上から見た一部を切り欠いた平面図である。
【００２２】
図４（ａ）の左半分は、前面パネル2の正面と側面パネル3の側面を示す図、右半分は、前面パネルを折り畳んだ状態および後面パネル4の内面をコンテナーの内部から見た状態を示す図である。図５は、側面パネル3を示す図であり、（ａ）はコンテナーの側面から見た正面図、（ｂ）は縦断面図、（ｃ）はコンテナーの上から見た一部を切り欠いた平面図である。
【００２３】
図６は、前面パネルと支柱との関係を説明するための図であり、（ａ）は、図４（ａ）のＡ部（左下隅の部分）を拡大した図、（ｂ）は同Ｂ部（右下隅の部分）を拡大した図、（ｃ）は、図４（ｄ）のＣ部を拡大した図、（ｄ）は同Ｄ部を拡大した図である。
【００２４】
図４および図５に示すとおり、このコンテナー1は、四周のパネル2〜4および床5から構成され、上部が開放された直方体構造である。ここでは便宜的に四周のパネルのうち2を前面パネル、3を側面パネルと言い、4を後面パネルと言う。これらのパネルは、いずれも鋼製の縦横の梁および桟からなる格子構造である。格子構造にしたのは、農産物などを収納したとき、通気性を確保して農産物の品質低下を防ぐためである。なお、パネル2〜4の内面および床5の上面には、例えば合成樹脂製のネットＮ（一部分のみ図示）を張ってもよい。
【００２５】
前面パネル2は、図４に示すように、上パネル2-1と下パネル2-2とからなり、高さのほぼ中央部で上パネルが前方に約180°折り曲げ可能に蝶番2-3によって連結されている。この説明では、二つ折りできるのは前面パネルとしたが、後面パネルまたは側面パネルを二つ折りできるようにしてもよい。
【００２６】
前面パネル2および後面パネル4は、図４（ｄ）に示すように、床5の四隅に設けた短尺の支柱6-1, 6-2および6-3, 6-4に取り付けられたピン7-1, 7-2および7-3, 7-4を前面下パネル2-2の縦梁2-21, 2-22および後面パネル4の縦梁4-1, 4-2の穴に挿通することで床5に対して位置決めされている。また、側面パネル3の上部および中間に設けた回転係合具12を図４（ａ）に示す矢印の方向に回して、前後面パネルの縦梁2-21, 2-22および4-1の側面に設けた長穴（図示せず）に差し込むことによって側面パネルと前面パネルまたは後面パネルとを連結し、床5の縦梁5-1の上面部に立てられる。
【００２７】
後面パネル4に設けたピン7-3, 7-4は、前面パネル2に設けたピン7-1, 7-2よりも前面パネルの厚さとほぼ同じ分だけ高い位置に設けられている。そうすることによって、図２および図３に示すように、まず前面パネル2を畳み、次に後面パネル4を畳んだときに、両パネルをほぼ水平に重ねることができる。
【００２８】
各パネルの上下の横梁と左右の縦梁とが交わる角部には、図４に示すように補強部材（ガセット）15が設けられ、側面パネルの上横梁の左右の上面にはコンテナーを積み重ねた時のずれ止め16が設けられている。
【００２９】
後面パネル4の下部には、図４（ｃ）に示すように断面が四角形の箱状部材9が床の縦梁5-2との間にコンテナーのほぼ全幅にわたって設けられており、組み立てたとき後面パネル4は箱状部材9の上に接して立てられる。後面パネル4の高さは、前面パネルよりも箱状部材9の高さ分だけ短く作られている。
【００３０】
側面パネル3は、４本の支柱6-1〜6-4に固定されたピン8を中心として回転可能に取り付けられ、図５および後述する図７に示すように、断面が五角形の箱状部材10の上に接して立てられている。箱状部材10は、床5の桟5-3の上にコンテナーの奥行のほぼ全長にわたって固定されている。ピン8の支柱6-1〜6-4への固定位置は、前記のピン7-1, 7-2, 7-3, 7-4よりも高い位置とする。その高さは、図２および図３に示すように、前面パネルと後面パネルの合計厚さとほぼ同じにする。こうすることによって、側面パネル3は、折り畳んだときに前面パネルおよび後面パネルの上に水平に重ねることができる。
【００３１】
本考案のコンテナーは、このような構造としたので四周のパネル2〜4が床の梁または箱状部材に接して隙間無く組み立てられる。従って、コンテナーを積み重ねたとき、パネルの垂直荷重をピンを介さずに床5に伝えることができる。これにより、ピンの破損を無くすることができる。
【００３２】
コンテナーの床5の下部には、図４（ａ）に示すように、フォークリフトの爪が挿入できるような空間部11が設けられている。これにより、コンテナーのトラック等への積み下ろし、および倉庫内での移動や積み重ねの作業が通常のフォークリフトを用いて容易に実施できる。また、地面（倉庫の床面）との間の通気性が確保でき、湿気を防ぐことができる。
【００３３】
次に、本考案のコンテナーの前面パネルを二つ折りする手順について、図２および図３を用いて説明する。
【００３４】
農作物を収納するときは、上前面パネルを係止している回転係合具12を上前面パネルの縦梁から外し、図２（ａ）に示すように、前面上パネルの下辺を中心に前方に回転させて二つ折りする。この状態で農作物を収納する。従って、農作物の落下距離が小さくなるので、傷みが少なくなるだけでなく、収納作業も楽になる。
【００３５】
農作物が下前面パネルの上辺近くに達したとき、上前面パネルを回転させて垂直にして、回転係合具12を挿入して固定する。その後、農作物の収納を続ける。
【００３６】
次に、本考案のコンテナーを折り畳む手順について説明する。
【００３７】
図６（ａ）および（ｃ）は、前面パネル2を組み立てたときのピン7-1の状態を示し、図６（ｃ）および（ｄ）は、前面パネル2を折り畳むときのピン7-1の状態を示す図である。各支柱6-1〜6-4は、各パネルを折り畳んだときの高さを超える長さを有する溝形鋼である。それぞれのピン7-1〜7-4は、支柱の２つのフランジ部を貫通して挿入され、ピンを軸方向に移動させるための取っ手13が溶接などで取り付けられている。ピンの移動を止めるためにストッパ14が支柱の内部に取り付けられている。ストッパ14は、山形鋼の片方のフランジの一部を鍵状に切り欠き、切り欠かない片方のフランジ部が支柱に取り付けられている。
【００３８】
パネルを組み立てるには、図６（ｂ）および（ｃ）に示すように、取っ手13を垂直から水平に回転させてストッパ14から外し、ピン7-1, 7-2をコンテナーの外側に（図では左から右に）移動させ、パネルの縦梁2-21, 2-22から抜き去る。この状態でパネルを立ち上げ、ピンをコンテナーの内側に（図では右から左に）移動させ、取っ手13を回転させてストッパ14に固定する。パネルを折り畳むときも、ピンの移動は、これと同様である。
【００３９】
図７は、図５（ｂ）の下部を拡大した図（但し、側面パネル3は倒してある）である。この図には、前面パネル2および後面パネル4が折り畳まれた状態を一点鎖線で示し、側面パネル3の組み立てた状態を破線で示す。側面パネル3は、破線で示すように底面部を箱状部材10の上面に載置した状態で、支柱6-4に設けたピン8によって回転可能に取り付けられている。
【００４０】
ピン8は、支柱6-4の溝形のリブ部にコンテナーの内側に偏らせた位置に溶接などによって取り付けられている。また、このピンと係合して側面パネルを回転させる側面パネルの穴もコンテナーの内側に偏らせた位置に設けられている。箱状部材10の上面には、側面パネル3を折り畳むときの回転が容易なように傾斜部10-1が形成されている。
【００４１】
本考案のコンテナーは、上記のような構造としたので下記の特徴を有する。
【００４２】
(a) 前面パネルが二分割されており、組み立てた状態で上パネルを折り曲げることができるので、前面パネルの高さが低くなり、収納時に農作物の傷みを防ぐことができ、収納、取り出しの作業が楽にできるようになる。
【００４３】
(b) パネル2〜4が組み立てられたとき、ピン7および8にはパネルと床との位置を決める作用をさせるだけであり、それぞれのパネルの底部は、床5または３つの箱状部材9, 10の上面に接して垂直に立てることができる。これによって、コンテナーを積み重ねたときの垂直荷重は、縦梁または箱状部材を介して床に伝えられるので、ピンには殆ど荷重がかからず、それらが破損するおそれがない。従って、コンテナーを多段積みすることができる。
【００４４】
(c) 前面パネル2および後面パネル4は、ピン7-1, 7-2および7-3, 7-4をピンの軸方向に移動させて各パネルの穴から抜き去り、各パネルをコンテナーの内側に倒すことにより折り畳むことができる。倒した後は、再びピンを穴に挿入してパネルを固定することができる。
【００４５】
(d) 側面パネル3, 3の下部には五角形の箱状部材10を設けたので、固定ピン8を中心として90゜回転させて折り畳むことができる。また、固定ピン8がコンテナーの内側に偏らせた位置に設けられているので、折り畳んだときパネルの下端部のはみ出しを無くすることができる。同様に、後面パネル4の下部にも箱状部材9を設けたので、パネル下端部のはみ出し量を従来のコンテナーよりも小さくすることができる。このようにコンパクトに折り畳めるということは、多数のコンテナーを同時に輸送する場合に輸送効率を向上させ、また、保管スペースの節減につながる。
【産業上の利用可能性】
【００４６】
この考案のコンテナーは、少なくとも１つのパネルを二つ折りにすることができるので、深いコンテナーであっても、長芋などの農作物の収納時の損傷を防ぎ、収納および取り出し作業が容易になる。また、使用しないときにはコンパクトに折り畳むことができるので、保管スペースが節約できる。
【図面の簡単な説明】
【００４７】
【図１】従来の折り畳み式コンテナーを折り畳んだ状態を示す概念図であり、（ａ）は正面図、（ｂ）は側面図である。
【図２】本考案のコンテナーのパネルを折り畳む手順を説明するためにコンテナーの正面から見た概念図であり、（ａ）は前面パネルを二つ折りした後折り畳む手順を示す図であり、（ｂ）は後面パネルを折り畳んだ後側面パネルを折り畳んだ状態を示す図である。
【図３】本考案のコンテナーのパネルを折り畳む手順を説明するためにコンテナーの正面から見た概念図である。
【図４】本考案のコンテナーの組み立てた状態を示す概念図であり、（ａ）は正面図、（ｂ）は前面パネルの側断面と上パネルを折り曲げた状態を示す図、（ｃ）は後面パネルの側断面図、（ｄ）は支柱部を上から見た一部を切り欠いた平面図である。
【図５】側面パネル3を示す図であり、（ａ）はコンテナーの側面から見た正面図、（ｂ）は断面図、（ｃ）はコンテナーの上から見た一部を切り欠いた平面図である。
【図６】前面パネルと支柱との関係を説明するための図であり、（ａ）は図４（ａ）のＡ部を拡大した図、（ｂ）は同Ｂ部を拡大した図、（ｃ）は同Ｃ部を拡大した図、（ｄ）は同Ｄ部を拡大した図である。
【図７】図５（ｂ）の下部を拡大した図である。
【符号の説明】
【００４８】
１…コンテナー、  ２…前面パネル、  ３…側面パネル、  ４…後面パネル、５…床、
6-1〜6-4…支柱、  7-1〜7-4，8…ピン、９，10…箱状部材、  11…空間、
12…回転係合具、  13…取っ手、  14…ストッパー、  15…補強部材、  16…ずれ止め
【図１】
0003104222.tif 000003
【図２】
0003104222.tif 000004
【図３】
0003104222.tif 000005
【図４】
0003104222.tif 000006
【図５】
0003104222.tif 000007
【図６】
0003104222.tif 000008
【図７】
0003104222.tif 000009